(57)【要約】      （修正有）【課題】腕の回転、その速さ、腕の振りの速さを物理的に体感できること、フィールドでのキャッチボール等、実際的な練習においても広く活用できるトレーニング器具を提供する。【解決手段】トレーニング器具１は、肩に配置される本体としての肩パット２及びこれを肩に固定するための固定紐３と、肩パット２に一端４０が固定され、他端４１が指を固定する指係止部７に取り付けられ、且つ、伸縮可能な伸縮部材４と、この伸縮部材４の一端４０から他端４１にかけて移動可能に配置された振子球５と、伸縮部材４の一端４０が肩口に位置するように、肩パット２を身体に保持するための保持部材６を備えている。【選択図】図１
2015006248.tif 000002
【特許請求の範囲】
【請求項１】
肩に配置される本体と、本体に一端が固定され、且つ、他端が手の指に取付けられる伸縮部材と、この伸縮部材に移動可能に配置された振子部材と、前記伸縮部材の一端が肩口に位置するように、本体を身体に保持するための保持部材を備えるトレーニング器具。
【請求項２】
前記伸縮部材の他端に取付けられ、且つ、手の指を係止させることができる指係止部を設けたことを特徴とする請求項１記載のトレーニング器具。
【請求項３】
前記伸縮部材の他端には、第２の伸縮部材を介してボールが取付けられていることを特徴とする請求項１記載のトレーニング器具。
【請求項４】
肩に配置される本体と、本体に一端が固定されると共に、本体に巻取り及び本体から巻き戻し可能に、且つ、他端が手の指に取付けられるロープと、このロープに移動可能に配置された振子部材と、前記ロープの一端が肩口に位置するように、本体を身体に保持するための保持部材を備えるトレーニング器具。
【請求項５】
前記ロープの他端に取付けられ、且つ、手の指を係止させることができる指係止部を設けたことを特徴とする請求項４記載のトレーニング器具。
【発明の詳細な説明】
【技術分野】
【０００１】
本発明は、腕の円滑な回転動作として、例えば投球動作をトレーニングしたり、矯正することができるトレーニング器具に関する。
【背景技術】
【０００２】
人間が腕を使って、ボール等を投げる場合、肩を中心にして腕を回転させて、その回転によって生じる力を利用して、ボール等を投げるのが通常である。
球技の場合、例えば野球の投球動作ではテークバックからフォロースルーに至りボールをリリースする一連の動作が「力」を生む重要なポイントの一つになる。
即ち、投球フォームは、肩を中心にした庇、腕の綺麗な円運動が実行できるか否かがポイントとなっている。
【０００３】
出願人は、上記一連の動作に関連する、手首、腕、肩等の投球動作に必要な筋肉を鍛錬するために、特許文献１において「鍛錬用具」を開示している。
その後、出願人は、特許文献２において、筋力アップとストレッチ運動に加えて、投球フォームの矯正を図ることができるようなトレーニング器具を開示している。
【先行技術文献】
【特許文献】
【０００４】
【特許文献１】特開昭５０−９１４４１
【特許文献２】特開平１１−１７８３８５
【発明の概要】
【発明が解決しようとする課題】
【０００５】
この特許文献２の段落「００３５」において「投球動作の過程で、ボール４を紐状部材３の収縮力に抗してパイプ１から引き出し、引き上げ、さらに引き出すので、腕、肩、腰、足等身体全体にかかる比較的大きな負荷を体感できる。この負荷はボールのみの重さでは得られない大きさである」と記載され、その段落「００３６」において、このため、「投球動作におけるボール４の位置と身体の姿勢や体重移動との関係を意識又はチェックでき、投球フォームの矯正が容易になる」旨が記載されている。
【０００６】
しかし、この特許文献２のトレーニング器具において、腕、肩、腰、足等身体全体にかかる比較的大きな負荷を体感できるとしても、その負荷の大きさはトレーニングする者の感覚に左右される恐れがあり、その客観的な基準が必ずしも明確ではなかった。
即ち、トレーニングする者にとって、投球フォームの矯正には、正しいピッチングフォームによる円滑な腕の回転、腕の回転の速さ、腕の振りの速さを物理的に体感できることが望ましい。
また、同トレーニング器具では、ボール４が紐状部材３に固定されているために、室外のフィールドでのキャッチボール等、実際的な練習には限界があった。
【０００７】
そこで、本発明に係るトレーニング器具は、腕のスムースな回転、その速さ、その振りの速さを物理的に体感できること、室内でのトレーニングに加えて、室外でもフィールドでのキャッチボール等、実際的な練習においても広く活用できるトレーニング器具を提供することを目的とする。
【課題を解決するための手段】
【０００８】
上記課題を解決するため本発明に係るトレーニング器具は、肩に配置される本体と、本体に一端が固定され、且つ、他端が手の指に取付けられる伸縮部材と、この伸縮部材に移動可能に配置された振子部材と、前記伸縮部材の一端が肩口に位置するように、本体を身体に保持するための保持部材を備える構成とした（請求項１に記載の発明）。
本発明の振子部材により、腕のスムースな回転、腕の回転の速さ、腕の振りの速さを物理的に体感できる装置を提供することができる。
【０００９】
上記発明において、前記伸縮部材の他端に取付けられ、且つ、手の指を係止させることができる指係止部を設けたことを特徴とするトレーニング器具とした（請求項２に記載の発明）。
前記指係止部に指を固定することで、その指によりボールを把持し、且つ、実際にボールを投げることができる。
【００１０】
前記伸縮部材の他端には、第２の伸縮部材を介してボールが取り付けられていることを特徴とする請求項１記載のトレーニング器具とした（請求項３に記載の発明）。
ボールが、第２の伸縮部材に固定されているので、室内でも実際にボールを投げることができる。
【００１１】
上記課題を解決するため本発明に係るトレーニング器具は、肩に配置される本体と、本体に一端が固定されると共に、本体に巻取り及び本体から巻き戻し可能に、且つ、他端が手の指に取付けられるロープと、このロープに移動可能に配置された振子部材と、前記ロープの一端が肩口に位置するように、本体を身体に保持するための保持部材を備えるトレーニング器具とした（請求項４に記載の発明）。
本発明においても、その振子部材により、腕のスムースな回転、腕の回転の速さ、腕の振りの速さを物理的に体感できる装置を提供することができる。
【００１２】
この発明において、前記ロープの他端に取付けられ、且つ、手の指を係止させることができる指係止部を設けてもよい（請求項５に記載の発明）。
前記指係止部に指を固定することで、その指によりボールを把持し、且つ、実際にボールを投げることができる。
【発明の効果】
【００１３】
本発明に係るトレーニング器具により、腕のスムースな回転、その速さ、その振りの速さを客観的に把握することができ、正しいピッチングフォームによる円滑な腕の回転を目指して、投球フォームのトレーニング、その矯正を図ることができる。
また、前記伸縮部材又はロープの他端が指係止部により指に固定されるので、その指によりボールを把持し、且つ、実際にボールを投げることができ、室内でのトレーニングに加えて、室外でもフィールドでのキャッチボール等、実際的な練習において活用できるトレーニング器具を提供することができる。
さらに、ボールが第２の伸縮部材に固定されているので、手からボールをリリースしても危険性がなく、室内おいて実際にボールを投げて、正しいピッチングフォームによる円滑な腕の回転を目指して、投球フォームのトレーニング、その矯正を図ることができる。
【図面の簡単な説明】
【００１４】
【図１】図１はトレーニング器具の構成例図である。
【図２】図２は同装置の使用例の説明図である。
【図３】図３は同装置の変形例に係る断面図である。
【図４】図４は同装置の変形例に係る使用説明図及び構成例図である。
【発明を実施するための形態】
【００１５】
本願発明に係るトレーニング器具を図面に基づいて、詳細に説明する。
なお、これらの各図において、同一の構成は同一の符号を付して重複した説明を省略する。
【００１６】
トレーニング器具１は、図１に図示したように、肩に配置される本体としての肩パット２及びこれを肩に固定するための固定紐３と、前記肩パット２に一端４０が固定され、他端４１が指を係止する指係止部７（後述）を介して手の指に取り付けられる伸縮部材４と、この伸縮部材４の一端４０から他端４１にかけて移動可能に配置された振子部材との振子球５と、前記伸縮部材４の一端４０が肩口に位置するように、前記肩パット２を身体に保持するための保持部材６を備えている。
【００１７】
前記肩パット２は、前記伸縮部材４の一端４０を固定するための固定カバー２０を取付けた表面２１と、肩口に接することで滑止めとなる裏面２２を備えている。
前記固定カバー２０は、カバー本体２３と、このカバー本体２３に基端が固定された蛇腹部２４を備えている。
前記カバー本体２３は、前記蛇腹部２４に収納された伸縮部材４の一端４０を強固に固定すると共に、前記蛇腹部２４を自在に肩口に臨ませる孔２５を備えている。
前記蛇腹部２４は、伸縮部材４が肩口に接して、その動きが規制されないように、伸縮部材４と肩口との接触をさけるもので、伸縮部材４の動きに追随できるように、前記孔２５を介してカバー本体２３に、回動自在に固定されている。
【００１８】
前記固定紐３は、前記肩パット２を肩口に取り付ける場合の固定手段となるもので、例えばゴム材からなり、その一端３０は前記肩パット２に固定され、他端３１は前記肩パット２に着脱自在に固定されるようになっている。この実施例では、前記固定紐３は、前記肩パット２に固定されたバンド片２６の孔を介して、着脱自在に固定されるようになっている。
【００１９】
前記肩パット２が前記固定紐３を介して肩口に固定され、さらに後述の保持部材６を介して胸部等に固定されることで、前記トレーニング器具１は、その位置が変位しないようにされている。この場合に、本体が前記肩パット２及び前記固定紐３により構成されていることで、本体の軽量化を図ることができる。
【００２０】
前記伸縮部材４は、被覆されたコイルバネからなり、その他端４１を固定する固定部４２を備えており、この固定部４２に対してその動きが自在となるように固定され、かつ、手首の動きに追随させる指係止部７が設けられている。
【００２１】
前記伸縮部材４は、前記蛇腹部２４側に附勢され、且つ、前記蛇腹部２４に収納されている。
前記固定部４２は、筒状のもので、上述のように前記指係止部７に対して、クサリ等を介して自在に前記コイルバネを固定し、その前記コイルバネが前記指係止部７の手首の動きに迅速に対応できるようになっている。
【００２２】
前記振子球５は、腕の位置に応じて、前記伸縮部材４の両端４０，４１間を移動することで、腕の回転、その速さ、腕の振りの速さを具体的に体感できるようにするもので、球状体５０と、その中心に挿通された孔５１と、その孔５１の内周をカバーするカバー筒５２からなり、そのカバー筒５２に前記伸縮部材４としてのコイルバネが挿通されている。
【００２３】
前記球状体５０は、野球ボール程度の大きさで、その動きを視認し易いようになっているが、振子部材としては、円筒状のものでもよい。
また、振子部材に、前記伸縮部材４の両端４０，４１間の移動を検出できるカウンタを内蔵させてもよい。
前記カバー筒５２の内径は、前記振子球５が前記コイルバネに沿ってスムースに移動できるサイズとなっている。
【００２４】
前記保持部材６は、上ベルト６０と下ベルト６１から構成され、上ベルト６０と下ベルト６０の各一端が前記肩パット２に固定され、各他端に雌雄のバックルが取りけられている。
かかる保持部材６は、上ベルト６０と下ベルト６１の各一端から各他端にかけて胸部にクロスするようになっている。
【００２５】
前記指係止部７は、前記固定部４２に連続するプレート７０と、このプレート７０に固定され、且つ、指を差し入れることができる指差入片７１を備えている。
前記プレート７０は、指差入片７１に指を取付けた場合に手の甲に密着するもので、ボールを把持する手の回転、動き、腕の回転等を確実に、前記固定部４２、コイルバネに伝達てきるようになっている。
前記指差入片７１は、指を挿入できる孔が２組設けられ、リボン状に構成されたもので、これらの各孔に指を挿入した状態で、手によりボールを把持できるようになっている。
【００２６】
上述のように構成されるトレーニング器具について、図２を参照しつつ、野球のピッチング練習の際の使用方法について説明する。
トレーニング実施者が、右利きであれば、肩パット２を右肩の肩口に掛けてその肩パット２を固定紐３で肩口に固定し、保持部材６で身体に保持する。
次に、前記指係止部７の指差入片７１の孔に人指し指と中指を挿入すると共に、その人指し指と中指により、ボールを握る。
この時、前記振子球５は、伸縮部材４の他端４１側に位置している。
【００２７】
この状態で、ワインドアップの姿勢に入り、ボールを上方に引き上げてアームコッキングの姿勢に移る（図２（ａ））。
この時、前記振子球５は、伸縮部材４を移動して、その一端４０側に除除に移動する。
【００２８】
引き続き、このテークバックから、相手の胸に投げ込むように、腕の回転を加速しながら、体重移動してフォロースルーの姿勢に入る（図２（ｂ）〜（ｄ））。
この時、振子球５は、腕の回転が円滑な場合には、スムースに伸縮部材４の一端４０から他端４１に除除に移動する。
最後に、フォロースルーからボールをリリースする動作に移行する（図２（ｄ）〜（ｅ））。
この時、振子球５は、スムースに伸縮部材４の他端４１に一気に移動し、固定部４２に衝突する。
以上のように、振子球５をスムースに振子のように移動させることができるか否かによって、腕の回転の状態を感得することができる。
また、腕の回転の速さ、腕の振りの速さに応じて、振子球５が前記固定部４２に当たることから、その当たり具合により、腕の回転の速さ、腕の振りの速さを体感することができる。
【００２９】
以上のように構成されたトレーニング器具の効果は、次のようである。
１．  本発明のトレーニング器具１により、腕の回転の様子、その速さ、腕の振りの速さを物理的に体感できる装置を提供することができる。
２．  従来例のリング状の本体に対し、実施例にかかる本体は、軽量化させることができ、使い勝手が向上している。
３．  指係止部７は、ボールを把持して、投げることができるので、室外のフィールドでのキャッチボール等、実際的な練習においても広く活用できるトレーニング器具を提供することができる。
【００３０】
前記トレーニング器具１は、野球の投球フォームの矯正方法に関するものであったが、ソフトボール用ボール、ハンドボール用ボール、バレーボール用ボール、その他、人間が腕を使って、肩を中心にして腕を回転させて、遠心力を利用して、ボール等を投げる場合の矯正装置として利用することができる。
さらに、前記トレーニング器具では、腕の綺麗な円運動に矯正することが、ストレッチに繋がり、日常的な運動にも応用することができる。
【００３１】
次に、図３に基づいて変形例その１の構成を説明する。
同変形例に係るトレーニング器具１Ａは、投球練習の際に、指で把持したボールを手から放しても、ボールが飛びださないようにして、室内でも練習できるようにしたものである。
即ち、トレーニング器具１Ａは、前記指係止部７のプレート７０にボール８を投球可能に固定したもので、ボール８の中心に沿って孔８０を形成し、その孔８０にアルミパイプ８１を通し、その孔８０の出口８２に第２の伸縮部材としてのスプリング８３の一端８４を固定し、そのスプリング８３の他端８５を前記プレート７０に固定したものである。
その他の構成は、上記トレーニング器具と同様であり、詳細な説明は省略する。
【００３２】
以上の構成に係るトレーニング器具１Ａによれば、次のような効果を奏する。
４．  レーニング器具１Ａは、投球練習の際に、指で把持したボールを手から放しても、ボールが飛びださないようにして、室内でも練習できる。
【００３３】
次に、図４に基づいて変形例その２の構成を説明する。
同変形例に係るトレーニング器具１Ｂは、本体として、前記肩パット２に前記固定カバー２０とは異なる略円錐状の固定カバー９を取付けたものである。
前記固定カバー９は、これを前記肩パット２に固定するための金具９０と、その内部に、前記金具９０に固定された心棒９１と、この心棒９１を軸として回転される渦巻プーリ９２と、この渦巻プーリ９２の回転を常時、一定方向に附勢する、即ち、ロープ９４（後述）が前記渦巻プーリ９２に巻取られるように渦巻プーリ９２の回転を附勢する板ばね９３と、渦巻プーリ９２に一端が固定されて、その螺旋溝に沿って巻取られたり、その螺旋溝から巻戻されるロープ９４と、このロープ９４を固定カバー９から出入れさせる窓９５を備えている。
【００３４】
前記金具９０は、固定カバー９の底面から下方に突出する心棒９１の基端９１０を固定している。
前記心棒９１は、その先端９１１が前記固定カバー９の頂面の内側に固定されている。
【００３５】
前記渦巻プーリ９２は、前記心棒９１の基端９１０側から先端９１１に従って、その径が除除に縮小し、且つ、螺旋のフランジ及びそれらのフランジにより形成された螺旋溝９２０を備えている。
前記渦巻プーリ９２は、螺旋溝９２０の始端９２０ａに前記ロープ９４の一端が固定され、螺旋溝９２０の終端９２０ｂにかけて、前記ロープ９４が嵌め込まれる滑車として構成されている。
【００３６】
前記板ばね９３は、渦巻きバネとして、その一端（外端）が固定カバー９側に固定され、その他端（内端）が前記心棒９１に固定されており、ロープ９４が前記渦巻プーリ９２の螺旋溝９２０に巻取られる方向に渦巻プーリ９２を附勢している。
【００３７】
前記ロープ９４は、前記伸縮部材４に代わるもので、例えば、樹脂、革、ゴム、繊維等から構成され、その一端が上述のように、前記渦巻プーリ９２の螺旋溝９２０の始端９２０ａに固定され、その他端は、手の指に取付けられるようになっている。
前記窓９５は、前記渦巻プーリ９２の垂直方向に進む螺旋溝９２０に沿うように、垂直方向に長孔に形成され、ロープ９４の巻取り及び巻戻しがスムースに行われるように構成されている。
その他の構成は、上記各トレーニング器具と同様であり、詳細な説明は省略する。
例えば、前記ロープ９４の他端には、図４の使用説明図のように、前記指係止部７を設けてもよい。
また、図４の構成例図のように、固定部４２を介して、トレーニング器具１Ａを設けてもよい。
【００３８】
以上の構成に係るトレーニング器具１      Ｂによれば、次のような効果を奏する。
５．  投球動作のテークバックからフォロースルーに移行する段階は、腕の回転力が比較的強く働くが、この場合、前記螺旋溝９２０の終端９２０ｂから、引出される（巻戻される）前記ロープ９４には、比較的強い抗力が生じる。
そして、ボールをリリースする段階では、腕の回転力が弱くなり、この場合、前記螺旋溝９２０の始点９２０ａまで前記ロープ９４が引き出され、除除に前記ロープ９４の抗力が弱くなる。
よって、前記伸縮部材４とは異なり、レーニング器具１Ｂは、肩の回転力に応じて、力の配分を均一化することができる。
従って、振子球５をスムースに振子のように移動させることで、腕の回転の状態を感得することができる。
さらに、腕の回転の速さ、腕の振りの速さに応じて、振子球５が前記固定部４２に当たることから、その当たり具合により、腕の回転の速さ、腕の振りの速さを体感することができる。
６．  野球の投球練習に限らず、前記振子の動きを利用した、多様化したレーニング器具にすることもできる。
【００３９】
本発明は以上説明した実施例に限定されるものではなく、多くの変形が本発明の技術的思想内で当分野において、通常の知識を有する者により可能である。
【符号の説明】
【００４０】
１  １Ａ  １Ｂ  トレーニング器具
２  肩パット                            ２０  固定カバー
２１  表面                              ２２  裏面
２３  カバー本体                        ２４  蛇腹部
２５  孔                                ２６  バンド片
３  固定紐                              ３０  一端
３１  他端
４  伸縮部材                            ４０  一端
４１  他端                              ４２  固定部
５  振子球                              ５０  球状体
５１  孔                                ５２  カバー筒
６  保持部材                            ６０  上ベルト
６１  下ベルト
７  指係止部                            ７０  プレート
７１  指差入片
８  ボール                              ８０  孔  
８１  アルミパイプ                      ８２  出口
８３  スプリング                        ８４  一端
８５  他端
９  固定カバー                          ９０  金具
９１  心棒                              ９２  渦巻プーリ
９４  ロープ                            ９３  板ばね
９１０  基端                            ９１１  先端
９２０  螺旋溝
９２０ａ  螺旋溝の始端                  ９２０ｂ  螺旋溝の終端
【図１】
2015006248.tif 000003
【図２】
2015006248.tif 000004
【図３】
2015006248.tif 000005
【図４】
2015006248.tif 000006